(57)【要約】【課題】吹き出されるシャボン玉の形状に従来にはない新規な形状を持たせることができるシャボン玉吹き出し玩具を提供すること。【解決手段】シャボン玉吹き出し玩具１０はケース２０を備えており、ケース２０はシャボン玉吹き出し玩具１０を把持する箇所となっている。空気供給手段１６は、１個の大径空気供給管２２と２個の小径空気供給管２４とを含んで構成されている。シャボン玉形成用リング１２は、大径空気供給管２２の先端の全周及び各小径空気供給管２４の先端の全周にそれぞれ設けられている。空気供給手段１６は電動ファン３０と電熱ヒータ３２を含んで構成されている。電動ファン３０は、大径空気供給管２２の基端から先端へ及び各小径空気供給管２４の基端から先端に空気を流動させ、電熱ヒータ３２は、小径空気供給管２４を流れる空気を暖める。【選択図】図１
2008295924.tif 000002
【特許請求の範囲】
【請求項１】
少なくとも２つの並設されたシャボン玉形成用リングと、
前記シャボン玉形成用リングへ、シャボン玉形成用液体を供給する液体供給手段と、
前記シャボン玉形成用リングへ、シャボン玉形成用空気を供給する空気供給手段とを備え、
シャボン玉形成用液体が供給された前記シャボン玉形成用リングへシャボン玉形成用空気が供給されることによって、前記シャボン玉形成用リングの個数に対応した個数のシャボン玉単位泡体が連接した複合シャボン玉が形成されるようにしてあり、
前記空気供給手段は、前記シャボン玉形成用リングのうちの少なくとも１つに常温の空気を供給し、前記シャボン玉形成用リングのうちの別の少なくとも１つに常温より高温の空気を供給するように構成されている、
ことを特徴とするシャボン玉吹き出し玩具。
【請求項２】
前記シャボン玉形成用リングは、大径の１個のリングと小径の２個のリングとを含んでおり、
前記空気供給手段は、前記大径の１個のリングへ常温の空気を供給し、前記小径の２個のリングへ常温より高温の空気を供給するように構成されており、
これによって、小径の２個のシャボン玉単位泡体が上方に位置し大径の１個のシャボン玉単位泡体が下方に位置した状態で空気中を浮遊する複合シャボン玉が形成されるようにした、
ことを特徴とする請求項１記載のシャボン玉吹き出し玩具。
【請求項３】
前記シャボン玉形成用リングは、大径の１個のリングと小径の１個のリングとを含んでおり、
前記空気供給手段は、前記大径の１個のリングへ常温の空気を供給し、前記小径の１個のリングへ常温より高温の空気を供給するように構成されており、
これによって、小径の１個のシャボン玉単位泡体が上方に位置し大径の１個のシャボン玉単位泡体が下方に位置した状態で空気中を浮遊する複合シャボン玉が形成されるようにした、
ことを特徴とする請求項１記載のシャボン玉吹き出し玩具。
【請求項４】
前記シャボン玉形成用リングは、大径の１個のリングと小径の３個以上のリングとを含んでおり、
前記空気供給手段は、前記大径の１個のリングへ常温より高温の空気を供給し、前記小径の３個以上のリングへ常温の空気を供給するように構成されており、
これによって、大径の１個のシャボン玉単位泡体が上方に位置し小径の３個以上のシャボン玉単位泡体が下方に位置した状態で空気中を浮遊する複合シャボン玉が形成されるようにした、
ことを特徴とする請求項１記載のシャボン玉吹き出し玩具。
【請求項５】
前記空気供給手段は、前記シャボン玉形成用リングに付設した複数の空気供給管と、それら複数の空気供給管へ空気を送り込む電動ファンと、それら複数の空気供給管のうちの少なくとも１つに付設した空気を熱するための電熱ヒータとを含んでいる、
ことを特徴とする請求項１記載のシャボン玉吹き出し玩具。
【請求項６】
前記シャボン玉形成用リングは、大径の１個のシャボン玉形成用リングと小径の２個のシャボン玉形成用リングとを含んでおり、
前記空気供給手段は、前記各シャボン玉形成用リングにそれぞれ付設した複数の空気供給管と、それら複数の空気供給管へ空気を送り込む電動ファンと、それら複数の空気供給管のうち前記小径の２個のシャボン玉形成用リングに付設された空気供給管に設けられ空気を熱するための電熱ヒータとを含んでいる、
ことを特徴とする請求項１記載のシャボン玉吹き出し玩具。
【請求項７】
前記空気供給手段は、前記電動ファンおよび前記電熱ヒータに電源を供給するための電池が交換可能に収容される電池収容室と、前記電動ファンおよび前記電熱ヒータをオンオフ制御する電気スイッチとを備える、
ことを特徴とする請求項５または６記載のシャボン玉吹き出し玩具。
【請求項８】
前記液体供給手段は、シャボン玉形成用液体を収容するためのタンクと、長手方向の一端が前記タンク内に収容されたシャボン玉形成用液体に浸漬され長手方向の他端が前記各シャボン玉形成用リングにそれぞれ接続された複数の管体とを含んで構成されている、
ことを特徴とする請求項１記載のシャボン玉吹き出し玩具。
【請求項９】
前記シャボン玉形成用リングは、大径の１個のリングと小径の２個のリングとを含んでおり、
前記空気供給手段は、前記大径の１個のリングに付設した大径空気供給管と、前記小径の２個のリングにそれぞれ付設した２個の小径空気供給管とを備え、
前記大径空気供給管及び前記２個の小径空気供給管を支持する把持用のケースが設けられ、
前記大径空気供給管と前記２個の小径空気供給管と前記ケースとは一体に形成されている、
ことを特徴とする請求項１記載のシャボン玉吹き出し玩具。
【発明の詳細な説明】
【技術分野】
【０００１】
本発明はシャボン玉吹き出し玩具に関する。
【背景技術】
【０００２】
従来のシャボン玉吹き出し玩具は、単一のシャボン玉あるいは多数のシャボン玉を吹き出せるものの、それらシャボン玉自体の形状は何れも単一の球形である。
【特許文献１】特開２００１−３００１５２
【特許文献２】特開２００３−３１１０３６
【発明の開示】
【発明が解決しようとする課題】
【０００３】
そのため従来のシャボン玉吹き出し玩具では面白さに欠ける不具合があった。
本発明は前記事情に鑑み案出されたものであって、本発明の目的は、吹き出されるシャボン玉の形状に従来にはない新規な形状を持たせることでシャボン玉吹き出し玩具に面白さを持たせるようにしたシャボン玉吹き出し玩具を提供することにある。
【課題を解決するための手段】
【０００４】
前記目的を達成するため本発明のシャボン玉吹き出し玩具は、少なくとも２つの並設されたシャボン玉形成用リングと、前記シャボン玉形成用リングへ、シャボン玉形成用液体を供給する液体供給手段と、前記シャボン玉形成用リングへ、シャボン玉形成用空気を供給する空気供給手段とを備え、シャボン玉形成用液体が供給された前記シャボン玉形成用リングへシャボン玉形成用空気が供給されることによって、前記シャボン玉形成用リングの個数に対応した個数のシャボン玉単位泡体が連接した複合シャボン玉が形成されるようにしてあり、前記空気供給手段は、前記シャボン玉形成用リングのうちの少なくとも１つに常温の空気を供給し、前記シャボン玉形成用リングのうちの別の少なくとも１つに常温より高温の空気を供給するように構成されていることを特徴とする。
【発明の効果】
【０００５】
本発明によれば、複数のシャボン玉単位泡体が互いに付着した複合シャボン玉が作られ、しかも、各シャボン玉単位泡体に入れる空気に温度差を持たせることで複合シャボン玉が浮遊する際の姿勢を決定できるので、人間の顔や、動物、植物、キャラクターなどの各種の形状の複合シャボン玉を作ることができ、吹き出されるシャボン玉の形状に従来にはない新規な形状を持たせることでシャボン玉吹き出し玩具に面白さを持たせることが可能となる。
【発明を実施するための最良の形態】
【０００６】
以下、本発明の実施の形態を図面にしたがって説明する。
図１はシャボン玉吹き出し玩具の概略斜視図を示す。
シャボン玉吹き出し玩具１０は、並設された複数のシャボン玉形成用リング１２と、シャボン玉形成用リング１２へシャボン玉形成用液体を供給する液体供給手段１４と、シャボン玉形成用リング１２へシャボン玉形成用空気を供給する空気供給手段１６などを含んで構成されている。
【０００７】
本実施の形態では、シャボン玉吹き出し玩具１０はケース２０を備えており、ケース２０はシャボン玉吹き出し玩具１０を把持する箇所となっている。
空気供給手段１６は、１個の大径空気供給管２２と２個の小径空気供給管２４とを含んで構成され、それら１個の大径空気供給管２２と２個の小径空気供給管２４はケース２０で支持されている。
本実施の形態では、ケース２０と、１個の大径空気供給管２２と、２個の小径空気供給管２４とは合成樹脂により一体に形成されている。
ケース２０は、把持される把持部２００２を有し、この把持部２００２は、上下に延在した状態で把持されるように上下に縦長の形状となっている。
把持部２００２の上部には屈曲部２００４を介して前方に突出する突出部２００６が設けられている。それら、把持部２００２、屈曲部２００４、突出部２００６はそれぞれ中空状である。なお、符号２００８は、ケース２０に設けられた空気導入孔を示す。
【０００８】
大径空気供給管２２と２本の小径空気供給管２４は突出部２００６の先部に連接され、それら管２２、２４、２４は平行に延在している。
大径空気供給管２２と２本の小径空気供給管２４は、把持部２００２が上下に延在して把持された状態で水平方向に延在し、２本の小径空気供給管２４は、大径空気供給管２２に隣接して設けられ大径空気供給管２２の上部で周方向に間隔をおいて設けられている。
大径空気供給管２２と２本の小径空気供給管２４の各基端は突出部２００６内に位置している。
【０００９】
シャボン玉形成用リング１２は、大径空気供給管２２の先端の全周及び各小径空気供給管２４の先端の全周にそれぞれ設けられている。したがって、大径空気供給管２２の先端の全周に設けられるシャボン玉形成用リング１２Ａは、各小径空気供給管２４の先端の全周にそれぞれ設けられるシャボン玉形成用リング１２Ｂよりも直径（内径）が大きい。
【００１０】
把持部２００２には電池収容室２６とタンク２８が設けられている。
電池収容室２６は、例えば、把持部２００２の内部に設けられ、不図示の開閉蓋により開閉され、電池Ｂの交換が可能に設けられている。
タンク２８は、例えば、把持部２００２の内部に設けられ、不図示の開閉蓋により開閉され、シャボン玉形成用液体Ｅがタンク２８内に補填できるように設けられている。
そして、各シャボン玉形成用リング１２とタンク２８とはそれぞれ管体２８０２により接続されている。すなわち、各管体２８０２の長手方向の一端は、タンク２８内に収容されたシャボン玉形成用液体Ｅに浸漬され長手方向の他端が各シャボン玉形成用リング１２にそれぞれ接続されている。
【００１１】
本実施の形態では、空気供給手段１６は電動ファン３０と電熱ヒータ３２を含んで構成されている。
電動ファン３０は屈曲部２００４に設けられ、電池Ｂを電源として回転し、大径空気供給管２２の基端から先端へ及び各小径空気供給管２４の基端から先端に空気を流動させるように構成されている。
【００１２】
電熱ヒータ３２は各小径空気供給管２４にそれぞれ設けられ、電池Ｂを電源として発熱し、小径空気供給管２４を流れる空気を暖めるように構成されている。
本実施の形態では、電熱ヒータ３２は、コイルが小径空気供給管２４の断面の中央を渦巻き状に巻回されることで構成されている。
【００１３】
なお、屈曲部２００４の下面に、電気スイッチとして揺動式の操作レバー３４が設けられ、この操作レバー３４を押し込むと、電池Ｂと電動ファン３０とが電気的に接続し、同時に、電池Ｂと電熱ヒータ３２とが電気的に接続する。また、操作レバー３４への押し込みを解除すると、電池Ｂと電動ファン３０とが電気的に遮断され、電池Ｂと電熱ヒータ３２とが電気的に遮断されるように構成されている。
本実施の形態では、ケース２０と、１個の大径空気供給管２２と、２個の小径空気供給管２４とはピストル形となっており、操作レバー３４は引金形スイッチとなっている。
【００１４】
次に、シャボン玉吹き出し玩具１０の使用方法について説明する。
まず、タンク２８にシャボン玉形成用液体Ｅを入れ、電池収容室２６に電池Ｂを収容する。
次に、各シャボン玉形成用リング１２にシャボン玉形成用液体Ｅがいきわたるように、シャボン玉吹き出し玩具１０の姿勢を、各シャボン玉形成用リング１２がタンク２８よりも下位となるようにし、上下に数回振る。
次に、シャボン玉形成用液体Ｅを適宜容器に入れ、大径空気供給管２２と２本の小径空気供給管２４の先端のシャボン玉形成用リング１２を容器内のシャボン玉形成用液体に浸し、各シャボン玉形成用リング１２の内側にシャボン玉形成用液体Ｅを膜状に張る。
各シャボン玉形成用リング１２の内側にシャボン玉形成用液体Ｅを膜状に張ったならば、操作レバー３４を押し込む。
【００１５】
操作レバー３４の押し込みにより電動ファン３０が回転し、電熱ヒータ３２の温度が上昇する。
そして、電動ファン３０の回転により空気が、大径空気供給管２２の基端から先端へ、２本の小径空気供給管２４の各基端から先端へ流動し、その際に、図２に示すように、大径空気供給管２２から径の大きいシャボン玉単位泡体４０Ａが作られ、２本の小径空気供給管２４からは径の小さいシャボン玉単位泡体４０Ｂが径の大きいシャボン玉単位泡体４０Ａに付着した状態の複合シャボン玉４０が作られる。すなわち、シャボン玉形成用液体Ｅが供給されたシャボン玉形成用リング１２へシャボン玉形成用空気が供給されることによって、シャボン玉形成用リング１２の個数に対応した個数のシャボン玉単位泡体４０Ａ、４０Ｂが連接した複合シャボン玉４０が形成される。
そして、大径空気供給管２２のシャボン玉形成用リング１２に常温の空気を供給し、２本の小径空気供給管２４のシャボン玉形成用リング１２に電熱ヒータ３２により常温より高温の空気を供給するため、径の小さい２つのシャボン玉単位泡体４０Ｂが径の大きいシャボン玉単位泡体４０Ａの上部に位置した状態で空中を浮遊することになる。
【００１６】
なお、各シャボン玉形成用リング１２の内側にシャボン玉形成用液体Ｅを膜状に張るため、大径空気供給管２２と２本の小径空気供給管２４の先端のシャボン玉形成用リング１２を容器内のシャボン玉形成用液体Ｅに浸すのは、最初の１回目に複合シャボン玉４０を作るときのみであり、以後、複合シャボン玉４０が作られる毎に、各シャボン玉形成用リング１２の内側にシャボン玉形成用液体Ｅが引き出され、各シャボン玉形成用リング１２の内側にはシャボン玉形成用液体Ｅが膜状に張られることになる。
また、最初の１回目に複合シャボン玉４０が作られたのち、各シャボン玉形成用リング１２の内側にシャボン玉形成用液体Ｅが膜状に張られることにより、シャボン玉形成用液体Ｅは、シャボン玉４０が作られる毎に、管体２８０２を介してタンク２８内から各シャボン玉形成用リング１２に順次吸い上げられていく。
したがって、操作レバー３４を押し込み続けることにより、径の小さい２つのシャボン玉単位泡体４０Ｂが径の大きいシャボン玉単位泡体４０Ａの上部に位置した状態の複合シャボン玉４０が連続して作られていき、空中を浮遊することになる。
【００１７】
したがって、本実施の形態のシャボン玉吹き出し玩具１０から吹き出される複合シャボン玉４０は、大径のシャボン玉単位泡体４０Ａと２つのシャボン玉単位泡体４０Ｂとからなり、２つの小径のシャボン玉単位泡体４０Ｂが大径のシャボン玉単位泡体４０Ａの上部に付いた形状となっているので、あたかも顔の両側に大きな耳が付いた形状となり、シャボン玉吹き出し玩具１０に面白さを持たせることができる。
【００１８】
なお、シャボン玉吹き出し玩具１０により吹き出される複合シャボン玉４０の形状は、実施の形態の形状に限定されず、種々の形状が考えられる。
例えば、シャボン玉形成用リング１２を、大径の１個のリングと小径の１個のリングとを含んで構成し、大径の１個のリングへ常温の空気を供給し、前記小径の１個のリングへ常温より高温の空気を供給し、これによって、小径の１個のシャボン玉単位泡体が上方に位置し大径の１個のシャボン玉単位泡体が下方に位置した状態で空気中を浮遊する複合シャボン玉が形成されるようにしてもよい。
あるいは、シャボン玉形成用リング１２を、大径の１個のリングと小径の３個以上のリングとで構成し、大径の１個のリングへ常温より高温の空気を供給し、前記小径の３個以上のリングへ常温の空気を供給し、これによって、大径の１個のシャボン玉単位泡体が上方に位置し小径の３個以上のシャボン玉単位泡体が下方に位置した状態で空気中を浮遊する複合シャボン玉が形成されるようにしてもよい。
すなわち、本発明によれば、複数のシャボン玉単位泡体が互いに付着した複合シャボン玉が作られ、しかも、複合シャボン玉を構成する各シャボン玉単位泡体に入れる空気の温度に差を持たせることで複合シャボン玉が浮遊する際の姿勢を決定できるので、人間の顔や、動物、植物、キャラクターなどの各種の形状のシャボン玉を作ることができ、吹き出されるシャボン玉の形状に従来にはない新規な形状を持たせることでシャボン玉吹き出し玩具に面白さを持たせることが可能となる。
【図面の簡単な説明】
【００１９】
【図１】シャボン玉吹き出し玩具の斜視図である。
【図２】シャボン玉吹き出し玩具から吹き出される複合シャボン玉の正面図である。
【符号の説明】
【００２０】
１０……シャボン玉吹き出し玩具、１２……シャボン玉形成用リング、１４……液体供給手段、１６……空気供給手段、２０……ケース、２２……大径空気供給管、２４……小径空気供給管。
【図１】
2008295924.tif 000003
【図２】
2008295924.tif 000004